(57)【要約】物品（１４）を被覆する装置（１０）であって、アプリケータ（１８）と、複数の物品をローラー（１８）へ連続して搬送するコンベヤー（２６）と、コンベヤーによって前記アプリケータへ搬送された物品へ転送するために、アプリケータへの所定量の被覆組成物を計量するためにアプリケータに接触して位置決めされる計量棒と、を備える装置。
2004525763.tif 000002
【特許請求の範囲】
【請求項１】
物品を被覆する装置であって、
アプリケータと、
複数の物品を前記アプリケータへ連続して搬送するコンベヤーと、
前記コンベヤーによって前記アプリケータへ搬送された物品へ転送するために、前記アプリケータへの所定量の被覆組成物を計量するために前記アプリケータに対して位置決めされる計量棒と、を備える装置。
【請求項２】
前記アプリケータが、約５５ショアＡ以下のデュロメーターを有するローラーを備える、請求項１に記載の装置。
【請求項３】
前記被覆装置が、被覆組成物の実質的に均一な層を異なる寸法を有する複数の物品に塗布することが可能である、請求項１に記載の装置。
【請求項４】
前記ローラーに対して位置決めされる前記計量棒の端部が、少なくとも約２．５ｍｍの半径を有する、請求項１に記載の装置。
【請求項５】
前記ローラーに対して位置決めされる前記計量棒の端部が、少なくとも約４．０ｍｍの半径を有する、請求項１に記載の装置。
【請求項６】
前記計量棒が、少なくとも約３５ｇ／ｃｍ幅の力を前記アプリケータに対して加える、請求項１に記載の装置。
【請求項７】
前記計量棒が、約４５ｇ／ｃｍ幅〜約９００ｇ／ｃｍ幅の力を前記アプリケータに対して加える、請求項１に記載の装置。
【請求項８】
前記アプリケータが前記コンベヤーと前記アプリケータとの間に配置されたテープのロールの端面を被覆することが可能であるように、前記コンベヤーが前記アプリケータに対して位置決めされる、請求項１に記載の装置。
【請求項９】
前記アプリケータがローラーを備える、請求項１に記載の装置。
【請求項１０】
前記アプリケータがエンドレスベルトを備える、請求項１に記載の装置。
【請求項１１】
第２アプリケータと、前記第２アプリケータへの所定量の被覆組成物を計量するために前記第２アプリケータに対して位置決めされる第２計量棒と、をさらに備え、前記第２アプリケータは物品を前記コンベヤーから受け取るために位置決めされる、請求項１に記載の装置。
【請求項１２】
前記第１アプリケータがローラーを備える、請求項９に記載の装置。
【請求項１３】
前記第２アプリケータがローラーを備える、請求項１２に記載の装置。
【請求項１４】
前記第１アプリケータがエンドレスベルトを備える、請求項９に記載の装置。
【請求項１５】
前記第２アプリケータがエンドレスベルトを備える、請求項１４に記載の装置。
【請求項１６】
ａ）被覆組成物を前記第１アプリケータから物品の第１側面へ転送する工程と、
ｂ）被覆組成物を前記第２アプリケータから物品の前記第１側面の反対側の物品の第２側面へ転送する工程と、を実質的に同時に行うことが可能である、請求項９に記載の装置。
【請求項１７】
物品がテープのロールであり、
ａ）被覆組成物を前記第１アプリケータからテープのロールの第１端面へ転送する工程と、
ｂ）被覆組成物を前記第２アプリケータからテープのロールの前記第１端面の反対側のテープのロールの第２端面へ転送する工程と、を実質的に同時に行うことが可能である、請求項９に記載の装置。
【請求項１８】
前記第１アプリケータおよび前記第２アプリケータが、物品を前記第１アプリケータと前記第２アプリケータとの間に維持するために位置決めされる、請求項９に記載の装置。
【請求項１９】
被覆した物品を製造する装置であって、
被覆装置を備える第１ステーションであって、
アプリケータと、
複数の物品を前記アプリケータへ連続して搬送することが可能であるコンベヤーと、
前記コンベヤーによって前記アプリケータへ搬送された物品へ転送するために、前記アプリケータへの所定量の被覆組成物を計量するために前記アプリケータに対して位置決めされる計量棒と、を備える第１ステーションと、
物品に施された被覆組成物を凝固させる第２ステーションと、を備える装置。
【請求項２０】
前記アプリケータがローラーを備える、請求項１９に記載の装置。
【請求項２１】
前記アプリケータがエンドレスベルトを備える、請求項１９に記載の装置。
【請求項２２】
前記コンベヤーが、被覆した物品を前記第２ステーションへ搬送することが可能である、請求項１９に記載の装置。
【請求項２３】
被覆した物品を前記第１ステーションから前記第２ステーションへ搬送することが可能である第２コンベヤーをさらに備える、請求項１９に記載の装置。
【請求項２４】
第１エンドレスベルトと第２エンドレスベルトとをさらに備え、前記第２コンベヤーが被覆した物品を前記第２ステーションへ搬送するために位置決めされる、請求項１９に記載の装置。
【請求項２５】
物品を前記コンベヤーから受け取るために位置決めされた第２アプリケータと、前記第２アプリケータへの所定量の被覆組成物を計量するために、前記第２アプリケータに対して位置決めされる第２計量棒と、をさらに備える、請求項１９に記載の装置。
【請求項２６】
前記第１アプリケータに対向して位置決めされた第２アプリケータと、前記第２アプリケータへの所定量の被覆組成物を計量するために、前記第２アプリケータに対して位置決めされる第２計量棒と、をさらに備える、請求項１９に記載の装置。
【請求項２７】
前記第１アプリケータがローラーを備え、前記第２アプリケータがローラーを備える、請求項２６に記載の装置。
【請求項２８】
前記第１アプリケータがエンドレスベルトを備える、請求項２６に記載の装置。
【請求項２９】
被覆した物品を前記第２ステーションへ搬送するために位置決めされた第２コンベヤーをさらに備える、請求項１９に記載の装置。
【請求項３０】
第１エンドレスベルトと第２エンドレスベルトとを備える第２コンベヤーをさらに備え、前記第２コンベヤーは被覆した物品を前記第２ステーションへ搬送するために位置決めされる、請求項１９に記載の装置。
【請求項３１】
前記第２コンベヤーが、被覆した物品を前記第１エンドレスベルトと前記第２エンドレスベルトとの間に搬送することが可能である、請求項３０に記載の装置。
【請求項３２】
前記第２ステーションが放射源を備える、請求項１９に記載の装置。
【請求項３３】
前記放射源が、紫外線放射と電子ビーム放射からなる群から選択される放射を生成することが可能である、請求項３２に記載の装置。
【請求項３４】
前記凝固が硬化を含む、請求項１９に記載の装置。
【請求項３５】
前記凝固が乾燥を含む、請求項１９に記載の装置。
【請求項３６】
アプリケータと、
物品を前記第１アプリケータへ搬送するコンベヤーと、
前記アプリケータへの所定量の被覆組成物を計量するために前記アプリケータに対して位置決めされた計量棒と、
を備える被覆装置を用いて物品を被覆する方法であって、
液体被覆組成物を前記アプリケータに塗布する工程と、
前記アプリケータからの前記被覆組成物を物品へ転送する工程と、を含む方法。
【請求項３７】
前記被覆組成物が少なくとも約１５ｃｐｓの粘度を有する、請求項３６に記載の方法。
【請求項３８】
前記被覆組成物が少なくとも約１９ｃｐｓの粘度を有する、請求項３６に記載の方法。
【請求項３９】
前記被覆した組成物を硬化する工程をさらに含む、請求項３６に記載の方法。
【請求項４０】
前記被覆した組成物を乾燥する工程をさらに含む、請求項３６に記載の方法。
【請求項４１】
アプリケータと、
テープのロールを前記アプリケータへ搬送するコンベヤーと、
前記アプリケータへの所定量の被覆組成物を計量するために前記アプリケータに対して位置決めされた計量棒と、
を備える被覆装置を用いてテープのロールの端面を被覆する方法であって、
液体被覆組成物を前記アプリケータに塗布する工程と、
前記アプリケータからの前記被覆組成物をテープのロールの端面へ転送する工程と、を含む方法。
【請求項４２】
前記組成物が少なくとも約１５ｃｐｓの粘度を有する、請求項４１に記載の方法。
【請求項４３】
前記組成物が少なくとも約１９ｃｐｓの粘度を有する、請求項４１に記載の方法。
【請求項４４】
前記アプリケータに対して位置決めされる前記計量棒の端部が、少なくとも約３ｍｍの半径を有する、請求項４１に記載の方法。
【請求項４５】
前記アプリケータに対して位置決めされる前記計量棒の端部が、少なくとも約４ｍｍの半径を有する、請求項４１に記載の方法。
【請求項４６】
前記計量棒が、少なくとも約３５ｇ／ｃｍ幅の力を前記アプリケータに対して加える、請求項４１に記載の方法。
【請求項４７】
前記計量棒が、約４５ｇ／ｃｍ幅〜約９００ｇ／ｃｍ幅の力を前記アプリケータに対して加える、請求項４１に記載の方法。
【請求項４８】
前記アプリケータがコンベヤーとアプリケータとの間に配置されたテープのロールの端面を被覆することが可能であるように、前記コンベヤーが前記アプリケータに対して位置決めされる、請求項４１に記載の方法。
【請求項４９】
物品を受け取るために位置決めされた第２アプリケータと、前記第２アプリケータへの所定量の被覆組成物を計量するために前記第２アプリケータに対して位置決めされる第２計量棒と、をさらに備える、請求項４１に記載の方法。
【請求項５０】
前記第１アプリケータに対向して位置決めされた第２アプリケータと、前記第２アプリケータへの所定量の被覆組成物を計量するために前記第２アプリケータに対して位置決めされる第２計量棒と、をさらに備える、請求項４１に記載の方法。
【請求項５１】
前記端面に被覆した組成物を硬化する工程をさらに含む、請求項４１に記載の方法。
【請求項５２】
前記端面に被覆した組成物を乾燥する工程をさらに含む、請求項４１に記載の方法。
【請求項５３】
前記アプリケータがローラーを備える、請求項４１に記載の方法。
【請求項５４】
前記アプリケータがエンドレスベルトを備える、請求項４１に記載の方法。
【請求項５５】
被覆組成物を物品の第１側面、および物品の前記第１側面の反対側の物品の第２側面へ実質的に同時に転送する工程をさらに含む、請求項４１に記載の方法。
【請求項５６】
前記物品がテープのロールを含み、被覆組成物を前記テープのロールの第１端面、および前記テープのロールの第２端面へ実質的に同時に転送する工程をさらに含む、請求項４１に記載の方法。
【請求項５７】
物品を被覆する装置であって、
アプリケータローラーと、
複数の物品を前記ローラーへ連続して搬送するコンベヤーと、
前記コンベヤーによって前記アプリケータへ搬送された物品へ転送するために、
前記ローラーへの所定量の被覆組成物を計量するために前記ローラーに対して位置決めされる計量棒と、を備える装置。
【発明の詳細な説明】
【技術分野】
【０００１】
本発明は物品を被覆することを目的としている。
【背景技術】
【０００２】
感圧接着剤テープのロールが、多くの場合、感圧接着剤組成物を基材に塗布し、次いで基材を円筒形芯に巻き付けてテープのロールを形成することによって作られる。テープのロールの端面が多くの場合露出した感圧接着剤を含み、これは端面を粘着性にする。さらに、テープが円筒形芯に巻き付けられてロールを形成する場合、端面にむらを起すおそれがある、一様でない巻き付けが起きるかもしれない。
【０００３】
感圧接着剤テープの多数のロールが多くの場合積み重ねて包装される。感圧接着剤テープのロールが互いの上に積み重ねられる場合、それらはブロックする、すなわちくっつきやすい。ブロッキングは、時間が経つと、かつ高温、例えば室温より高いと、頻度および度合いが増大しやすい。テープのロールの端面はまたその包装にくっつくかもしれず、これはテープのロールを包装から取り外すのを困難にし得る。多くの場合プラスチック容器に入れて売られる電気テープが、容器のプラスチック壁にくっつきやすい。端面の粘着性はまた、ちり、ほこり、および他の粉末状砕片を周囲から拾い上げやすい。
【０００４】
いくつかの方法が、粘着テープのロールの端面を保護する、または端面上の露出した粘着剤を剥がすために開発された。１つの一般的な方法では、１枚の紙を端面に接触して、例えばテープの２つのロールの間に置く。別の方法では、テープのロールの端面を非常に小さいガラスビーズで被覆する。ガラスビーズはロールから落ちやすく、これは製造プロセスおよび機械に対する汚染または損傷を起し得る。他の別の方法では、テープ片を円筒形芯に巻き付けてロールを形成する前に、スポンジまたは布を用いて剥離剤をテープ片の端縁に塗布する工程を含む。
【発明の開示】
【課題を解決するための手段】
【０００５】
一態様において、本発明は、物品を被覆する装置、アプリケータを備える装置、複数の物品をアプリケータへ連続して搬送するコンベヤー、およびコンベヤーによってアプリケータへ搬送される物品へ転送するために、アプリケータへの所定量の被覆組成物を計量するためにアプリケータに対して位置決めされた計量棒を特徴付ける。一実施形態において、アプリケータは約５５ショアＡ以下のデュロメータを有するローラーを含む。別の実施形態において、被覆装置は、被覆組成物の実質的に均一な層を様々な寸法を有する、複数の物品に塗布することが可能である。
【０００６】
いくつかの実施形態において、ローラーに対して位置決めされる計量棒の端部が少なくとも約２．５ｍｍの半径を有する。他の実施形態において、ローラーに対して位置決めされる計量棒の端部は少なくとも約４．０ｍｍの半径を有する。別の実施形態において、計量棒は少なくとも約３５ｇ／ｃｍ幅の力をアプリケータに対して加える。いくつかの実施形態において、計量棒は約４５ｇ／ｃｍ幅〜約９００ｇ／ｃｍ幅の力をアプリケータに対して加える。
【０００７】
一実施形態において、アプリケータがコンベヤーとアプリケータとの間に配置されたテープのロールの端面を被覆することが可能であるように、コンベヤーはアプリケータに対して位置決めされる。一実施形態において、アプリケータはローラーである。他の実施形態において、アプリケータはエンドレスベルトである。
【０００８】
他の実施形態において、装置は、第２アプリケータと、第２アプリケータへの所定量の被覆組成物を計量するために第２アプリケータに対して位置決めされる第２計量棒と、をさらに含み、第２アプリケータは物品をローラーから受け取るために位置決めされる。一実施形態において、第１アプリケータはローラーであり、第２アプリケータはローラーである。他の実施形態において、第１アプリケータはエンドレスベルトを含む。いくつかの実施形態において、第２アプリケータはエンドレスベルトを含む。
【０００９】
別の実施形態において、装置は、被覆組成物を第１アプリケータから物品の第１側面へ転送すること、および被覆組成物を第２アプリケータから物品の第１側面の反対側にある物品の第２側面へ転送することを実質的に同時に行うことが可能である。いくつかの実施形態において、物品はテープのロールであり、装置は、被覆組成物を第１アプリケータからテープのロールの第１端面へ転送すること、および被覆組成物を第２アプリケータからテープのロールの第１端面の反対側にあるテープのロールの第２端面へ転送することを実質的に同時に行うことが可能である。
【００１０】
一実施形態において、第１アプリケータおよび第２アプリケータは、物品を第１アプリケータと第２アプリケータとの間に維持するために位置決めされる。
【００１１】
別の態様において、本発明は被覆した物品を製造する装置を特徴付け、装置は、アプリケータを含む被覆装置と、複数の物品をアプリケータへ連続して搬送することが可能であるコンベヤーと、コンベヤーによってアプリケータへ搬送される物品へ転送するために、アプリケータへの所定量の被覆組成物を計量するためにアプリケータに対して位置決めされる計量棒と、を備える第１ステーションと、物品に施された被覆組成物を凝固させる第２ステーションと、を含む。
【００１２】
いくつかの実施形態において、アプリケータはローラーを含む。他の実施形態において、アプリケータはエンドレスベルトを含む。
【００１３】
別の実施形態において、コンベヤーは被覆した物品を第２ステーションへ搬送することが可能である。
【００１４】
他の実施形態において、装置は被覆した物品を第１ステーションから第２ステーションへ搬送することが可能である第２コンベヤーをさらに含む。一実施形態において、装置は第１エンドレスベルトと、第２エンドレスベルトとを備える第２コンベヤーをさらに含み、第２コンベヤーは被覆した物品を第２ステーションへ搬送するために位置決めされる。いくつかの実施形態において、装置は物品をコンベヤーから受け取る第２アプリケータ、および第２アプリケータへの所定量の被覆組成物を計量するために第２アプリケータに対して位置決めされる第２計量棒をさらに含む。別の実施形態において、装置は第１アプリケータの反対側に位置決めされた第２アプリケータ、および第２アプリケータへの所定量の被覆組成物を計量するために第２アプリケータに対して位置決めされる第２計量棒をさらに含む。一実施形態において、装置は被覆した物品を第２ステーションへ搬送するために位置決めされた第２コンベヤーをさらに含む。別の実施形態において、装置は第１エンドレスベルトと、第２エンドレスベルトとを備える第２コンベヤーをさらに含み、第２コンベヤーは被覆した物品を第２ステーションへ搬送するために位置決めされる。一実施形態において、第２コンベヤーは、被覆した物品を第１エンドレスベルトと第２エンドレスベルトとの間に搬送することが可能である。
【００１５】
いくつかの実施形態において、第２ステーションは放射源を含む。一実施形態において、放射源は、紫外線放射と電子ビーム放射からなる群から選択される放射を生成することが可能である。他の実施形態において、凝固は硬化を含む。さらに他の実施形態において、凝固は乾燥を含む。
【００１６】
別の態様において、本発明は、アプリケータと、物品をアプリケータへ搬送するコンベヤーと、アプリケータへの所定量の被覆組成物を計量するためにアプリケータに対して位置決めされる計量棒と、を備える被覆装置を用いて物品を被覆する方法を特徴付け、本発明の方法では、液体被覆組成物をアプリケータに施し、そして被覆組成物をアプリケータから物品へ転送する。いくつかの実施形態において、被覆組成物は少なくとも約１５ｃｐｓの粘度を有する。他の実施形態において、被覆組成物は少なくとも約１９ｃｐｓの粘度を有する。一実施形態において、本発明の方法ではさらに、被覆した組成物を硬化する。別の実施形態において、本発明の方法ではさらに、被覆した組成物を乾燥する。
【００１７】
いくつかの態様において、本発明は、アプリケータと、テープのロールをアプリケータへ搬送するコンベヤーと、アプリケータへの所定量の被覆組成物を計量するためにアプリケータに対して位置決めされる計量棒と、を含む被覆装置を用いて、テープのロールの端面を被覆する方法を特徴付け、本発明の方法では、液体被覆組成物をアプリケータに施し、そして被覆組成物をアプリケータからテープのロールの端面へ転送する。一実施形態において、組成物は少なくとも約１５ｃｐｓの粘度を有する。他の実施形態において、組成物は少なくとも約１９ｃｐｓの粘度を有する。
【００１８】
いくつかの実施形態において、アプリケータに対して位置決めされた計量棒の端部が少なくとも約３ｍｍの半径を有する。他の実施形態において、アプリケータに対して位置決めされる計量棒の端部は少なくとも約４ｍｍの半径を有する。一実施形態において、計量棒は少なくとも約３５ｇ／ｃｍ幅の力をアプリケータに対して加える。他の実施形態において、計量棒は約４５ｇ／ｃｍ幅〜約９００ｇ／ｃｍ幅の力をアプリケータに対して加える。
【００１９】
別の実施形態において、アプリケータがコンベヤーとアプリケータとの間に配置されたテープのロールの端面を被覆することが可能であるように、コンベヤーはアプリケータに対して位置決めされる。一実施形態において、本発明の方法は、物品をコンベヤーから受け取るために位置決めされた第２アプリケータと、第２アプリケータへの所定量の被覆組成物を計量するために第２アプリケータに対して位置決めされる第２計量棒と、をさらに含む。
【００２０】
いくつかの実施形態において、本発明の方法は、第１アプリケータの反対側に位置決めされた第２アプリケータと、第２アプリケータへの所定量の被覆組成物を計量するために第２アプリケータに対して位置決めされる第２計量棒と、をさらに含む。
【００２１】
一実施形態において、本発明の方法では、端面を被覆された組成物を硬化する。他の実施形態において、本発明の方法ではさらに、端面を被覆された組成物を乾燥する。
【００２２】
いくつかの実施形態において、本発明の方法ではさらに、被覆組成物を物品の第１側面、および物品の第１側面の反対側の物品の第２側面へ実質的に同時に転送する。一実施形態において、物品はテープのロールであり、本発明の方法ではさらに、被覆組成物をテープのロールの第１端面、およびテープのロールの第２端面へ実質的に同時に転送する。
【００２３】
他の態様において、本発明は、物品を被覆する装置（アプリケータローラーを含む）、複数の物品をローラーへ連続して搬送するコンベヤー、およびローラーとコンベヤーとの間に位置決めされた物品へ転送するために、ローラーへの所定量の被覆組成物を計量するためにローラーに対して位置決めされる計量棒を特徴付ける。
【００２４】
被覆装置は、再現可能な被覆重量を一連の物品の表面にアプリケータローラーの回転毎に塗布することが可能である。被覆装置はテープのロールの端面を被覆するためにうまく適合される。被覆装置は、物品を装置に送り込むコンベヤー上に不規則な間隔を置いて配置される物品を被覆できる、すなわち被覆される物品間の間隔が変えられ得る。被覆装置はまた、前の物品と寸法が異なる、被覆される表面を各々有する、いくつかの物品に被覆を施すためにうまく適合される。
【００２５】
物品が被覆に使用できない場合、液体被覆組成物がローラーから転送されないように、被覆装置は構成される。被覆装置はまた、過剰被覆、すなわち目標表面以外の表面へ被覆組成物を塗布することが起きないように、ローラーへ塗布される被覆組成物の量を制御することが可能である。テープのロールの場合に、例えば、被覆装置は、ロールの円筒形芯およびロールの露出した基材のような、テープのロールの垂直表面を被覆することを避ける一方で、テープのロールの端面にある表面変化を被覆することが可能である。
【００２６】
他の特徴および利点が、それらの好ましい実施形態の次の説明から、および特許請求の範囲から明らかであろう。図において、同じ番号が同じ要素を表わすために使用される。
【発明を実施するための最良の形態】
【００２７】
本被覆装置は、種々の異なる形状および大きさを有する物品を含む種々の物品を被覆するのに適している。しかしながら、説明を簡単にするために、本被覆装置は、テープのロールの端面を被覆することに関して本明細書では説明される。
【００２８】
図１〜４が、液体被覆組成物２４をテープ１４のロールの端面１６に塗布する被覆装置１０を示す。被覆装置１０は、ローラーの形をしたアプリケータ１８、アプリケータローラー１８と接触する計量棒２２、およびコンベヤー２６を含む。計量棒２２の端縁３３がアプリケータローラー１８の表面に当たるように、計量棒２２は位置決めされる。計量棒２２およびアプリケータローラー１８は組み合わさって、トラフ４２を画定し、これは液体被覆組成物２４を受け入れる。計量棒がアプリケータローラー１８に押し付けられる力、および計量棒２２の円弧形端部３１がアプリケータローラー１８に接触する角度が、アプリケータローラー１８が計量棒２２をよぎって反時計方向に回転するとき、アプリケータローラー１８によって運ばれる被覆組成物２４の量を制御する。
【００２９】
コンベヤー２６は、アプリケータローラー１８の下に、端面１６がコンベヤー２６と接触して位置決めされたテープ１４のロールが、アプリケータローラー１８とコンベヤー２６との間を通過するのを可能にするのに充分な垂直な間隔をアプリケータローラー１８からおいて位置決めされる。コンベヤー２６が動くとき、それはテープ１４のロールをアプリケータローラー１８へ搬送する。テープ１４のロールの先端が被覆ステーション５４に入ると、アプリケータローラー１８は端面１６と接触し、被覆組成物２４の層１２を端面１６へ転送する。アプリケータローラー１８の反時計方向への回転が、端面１６が被覆ステーション５４を通過するとき、新しい被覆組成物２４を端面１６に供給する。
【００３０】
液体組成物２４は所定の被覆重量で端面１６に塗布されて、被覆厚さ「Ｘ」をテープのロールに与える。適当な被覆重量は、例えば、接着剤の組成、接着剤の被覆重量、テープのロールの基材、テープのロールの端面の表面変化などのテープのロールに関連する要因によって変化するであろう。装置１０は、組成物を中央円筒３２の内部、またはテープ１４のロールの露出した基材３０の主要面へ施さずに、液体組成物２４を端面１６に塗布することが可能である。
【００３１】
好適なアプリケータローラー材料が被覆される物品の表面に適合する。ローラーは、ローラーの本体中に広がる単一材料、または多重層の材料を含むことができる。露出したローラー材料は、被覆組成物を、実質的に均一な層を高さが変動する表面に塗布するのに充分に適合することが好ましい。ローラーはまた、１つの材料、あるいは同じまたは異なる材料のいくつかの層を含むように構成される。多重層を含むローラー構成が適合する外面層を有することが好ましい。アプリケータローラーは、例えば、ニトリルゴム、ビニル改質ニトリルゴム、およびウレタンを含む、種々の材料から製造することができる。アプリケータローラーの密度がまた、固体から、開かれたセル孔、閉じたセル孔、またはそれらの組合せを有する多孔性フォーム構造まで変化し得る。有用なローラーは、約１２ショアＡ〜約５５ショアＡ、好ましくは約２４ショアＡの硬度を有する。
【００３２】
代替として、アプリケータはエンドレスベルトであり得る。図１２が、２つの回転プーリー１２０、１２４の周りを動くエンドレスベルト１１８を含む被覆装置１１０を示す。計量棒１２２がエンドレスベルト１１８に対して圧力を加える。被覆組成物２４が、計量棒１２２とエンドレスベルト１１８との間の間隙に供給される。エンドレスベルト１１８が動くとき、それは被覆組成物２４を搬送し、被覆組成物２４を、コンベヤー１２６によってエンドレスベルト１１８の下の位置に運ばれる、テープ１１４のロールの端面１１６に塗布する。
【００３３】
計量棒２２は、アプリケータローラーの各回転が、被覆される物品へ転送するために実質的に同じ量の被覆組成物を運ぶように、アプリケータローラー１８に塗布される被覆組成物の量を制御することが可能である棒である。例えば、ドクターブレード、例えば図８に示されるような隙間（例えば調整隙間）を含むドクターブレード、および例えば図１１に示されるような回転可能ロッドを含むドクターブレードなどの、いくつかの適当な計量棒構成が利用できる。アプリケータに対して位置決めされる計量棒の一部が、滑らかな、またはパターン化した表面を有し得る。
【００３４】
図１〜３の計量棒２２は、円弧状端部３１を有するドクターブレードの形をしている。円弧状端部３１は位置決めされ、被覆プロセス中にアプリケータローラー１８に対して力を加える。円弧状端部３１は半径「Ｒ」によって画定される。ドクターブレード２２の半径「Ｒ」は、テープ１４のロールの端面１６へ加えられる被覆重量を変えるために使用され得る。ドクターブレード２２の円弧状端部３１の半径を大きくすることは、ドクターブレード２２とアプリケータローラー１８との間の間隙における水圧の力を増大させることができ、これはテープ１４のロールの端面１６へ加えられる被覆重量の増大を起こす。ドクターブレード２２の円弧状端部３１の半径を小さくすることは、テープ１４のロールの端面１６へ加えられる被覆重量を減らし得る。ドクターブレードは少なくとも２．５ｍｍの半径を有することが好ましく、少なくとも約３ｍｍがより好ましく、約２．５ｍｍ〜約８０ｍｍが最も好ましい。
【００３５】
計量棒２２によってアプリケータローラー１８に対して加えられる力もまた、端面の表面に加えられる組成物の被覆重量を変え得る。力の増大が、例えば、被覆重量を減らし、力の減少が被覆重量を増大する。計量棒によって加えられる力は、０．２５ポンド／インチ・幅〜約５．０ポンド／インチ・計量棒の幅であることが好ましい。
【００３６】
被覆装置は、約１５センチポアズ（ｃｐｓ）から１０，０００ｃｐｓより大きい粘度を有する組成物を含む、広範囲の粘度を有する被覆組成物を転送するために使用され得る。
【００３７】
被覆装置はアプリケータローラーが連続して回転するように構成され得る。アプリケータローラーは、ローラーの回転ならびに回転速度を制御可能であるモーターに連結され得る。テープのロールが被覆位置にない場合、アプリケータローラーは被覆組成物を被着させずに回転し続けることができる。
【００３８】
図５および６が被覆装置４０の第２実施形態を示し、これは被覆ステーション５４および仕上げステーション３８を含む被覆プロセスの一部である。被覆装置４０は、テープ１４のロールの第１および第２端面１６、５６の同時被覆を可能にするために、第１ローラー１８に対向して位置決めされた第２ローラー５２を含む。第２ローラー５２もまた端面５６上に在る表面変化に適合し、適合する外層６０を含む。ローラー５２がその軸を中心として時計方向に回転するとき、計量棒２２ａが第２ローラー５２への所定量の液体組成物２４を計量する。
【００３９】
コンベヤー４６がテープ１４のロールをローラー１８、５２間の空間内に送り込む。反時計方向への第１ローラー１８の運動、および時計方向への第２ローラー５２の運動が、テープ１４のロールを引き取り、２つのローラー１８、５２の間を通す。次いでローラー１８、５２は、テープ１４のロールを搬送コンベヤー３４、３６へ同時に進める間に、液体被覆組成物２４の層１２をテープ１４のロールの両端面１６、５６へ転送する。
【００４０】
テープ１４のロールは、回転プーリー７０の周りを走行する、２つのエンドレスベルト６２、６４を含む搬送コンベヤー３４、３６を経由して被覆装置４０を離れる。テープ１４のロールがローラー１８、５２の間から出るとき、搬送コンベヤー３４、３６はそれを掴む。搬送コンベヤー３４、３６は、テープ１４のロールをそれらの間に摩擦によって維持する。テープ１４のロールは、それが被覆ステーション５４から、ブロッキングパネル６６をよぎって、仕上げステーション３８へ搬送コンベヤー３４、３６によって搬送されるとき、あるレベル位置に維持されることが好ましい。ブロッキングパネル６６は、仕上げステーション３８から送られる放射、例えば光または熱を被覆ステーション５４に届かないように遮断し得る。テープ１４のロールが仕上げステーション３８を通過するとき、テープ１４のロールの端面１６、５６上の被覆組成物２４の層１２は処理される、例えば、硬化型被覆組成物の場合に、被覆組成物２４の層１２を硬化するのに充分である期間放射６８に晒され、あるいは水性または溶剤型被覆組成物の場合に、（例えば、熱または空気によって）乾燥される。次いでテープ１４のロールは、例えば包装を含むさらなる処理のために、仕上げステーション３８の外へ、コンベヤー４８へ搬送される。
【００４１】
被覆装置は、例えば固体（例えばホットメルトおよび放射硬化型組成物）、水性または溶剤型組成物を含む、種々の組成物を被覆するのに適当である。被覆装置は広範囲の粘度を有する組成物を被覆することが可能であり、約１５ｃｐｓ〜約１５，０００ｃｐｓ、好ましくは約１０，０００ｃｐｓ以下、最も好ましくは約５，０００ｃｐｓ以下の粘度を有する組成物を被覆するのによく適している。
【００４２】
被覆装置はまた、例えば部品など、種々の形状および寸法を有する、種々の物品を被覆するのに適している。
【００４３】
他の実施形態が特許請求の範囲内にある。図７〜９が、例えば、アプリケータローラー７８と接触する隙間７６を含むドクターブレード７４の形で計量棒７４を含む被覆装置７２を示す。隙間７６はアプリケータローラー７８に施される被覆組成物２４の量を計量する。隙間ドクターブレード７４は、隙間無しのドクターブレードと比較して、より多量の被覆組成物をアプリケータローラー１８に塗布することが可能である。隙間ドクターブレードは水性組成物を被覆するのに特に有用である。
【００４４】
図１０が半径「Ｒ１」によって画定され、かつまっすぐな縁を有する円弧状部分８２を含む計量棒８０を示す。使用時、計量棒８０の円弧状部分８２はアプリケータローラー１８と接触する。
【００４５】
図１１が、計量棒８６のアプリケータ接触端９０内に配置された回転可能ロッド８８を含む計量棒８６を示す。ロッド８８はその軸線Ｌを中心として回転可能である。ロッド８８は所定の速度、所定の間隔、かつ所定の方向で回転されて、例えば、円弧状面をアプリケータと接触して使えるように回復すること、およびロッドとアプリケータとの間の間隙を清浄にすることなど、種々の機能を与えることができる。間隙を清浄にすること、および円弧状面を回復することは、アプリケータローラーに形成された跡および筋を除去するのに役立ち得る。回転可能ロッド８８は、例えば金属（スチール、鉄、またはアルミニウム、およびそれらの合金）およびプラスチックを含む、硬質でちゅう密な材料であることが好ましい。
【図面の簡単な説明】
【００４６】
【図１】被覆装置の側面図である。
【図２】図１の被覆装置の計量棒の側面図である。
【図３】図２の計量棒の斜視図である。
【図４】テープのロールの斜視図である。
【図５】第２実施形態による被覆装置の側面図である。
【図６】図５の被覆装置の平面図である。
【図７】第３実施形態による被覆装置の側面図である。
【図８】図７の被覆装置の計量棒およびアプリケータローラーの正面斜視図である。
【図９】図８の計量棒の正面図である。
【図１０】計量棒の第２実施形態の側面図である。
【図１１】計量棒の第３実施形態の斜視図である。
【図１２】エンドレスベルトを含む被覆装置の側面図である。
【国際公開パンフレット】
2004525763.tif 000003
2004525763.tif 000004
2004525763.tif 000005
2004525763.tif 000006
2004525763.tif 000007
2004525763.tif 000008
2004525763.tif 000009
2004525763.tif 000010
2004525763.tif 000011
2004525763.tif 000012
2004525763.tif 000013
2004525763.tif 000014
2004525763.tif 000015
2004525763.tif 000016
2004525763.tif 000017
2004525763.tif 000018
2004525763.tif 000019
2004525763.tif 000020
2004525763.tif 000021
2004525763.tif 000022
2004525763.tif 000023
2004525763.tif 000024
2004525763.tif 000025
2004525763.tif 000026
【手続補正書】
【提出日】平成15年5月17日(2003.5.17)
【手続補正１】
【補正対象書類名】特許請求の範囲
【補正対象項目名】全文
【補正方法】変更
【補正の内容】
【特許請求の範囲】
【請求項１】
物品を被覆する装置であって、
アプリケータと、
複数の物品を前記アプリケータへ連続して搬送するコンベヤーと、
前記コンベヤーによって前記アプリケータへ搬送された物品へ転送するために、前記アプリケータへの所定量の被覆組成物を計量するために前記アプリケータに対して位置決めされる計量棒と、を備える装置。
【請求項２】
前記アプリケータが、約５５ショアＡ以下のデュロメーターを有するローラーを備える、請求項１に記載の装置。
【請求項３】
前記被覆装置が、被覆組成物の実質的に均一な層を異なる寸法を有する複数の物品に塗布することが可能である、請求項１に記載の装置。
【請求項４】
前記ローラーに対して位置決めされる前記計量棒の端部が、少なくとも約２．５ｍｍの半径を有する、請求項１に記載の装置。
【請求項５】
前記ローラーに対して位置決めされる前記計量棒の端部が、少なくとも約４．０ｍｍの半径を有する、請求項１に記載の装置。
【請求項６】
前記計量棒が、少なくとも約３５ｇ／ｃｍ幅の力を前記アプリケータに対して加える、請求項１に記載の装置。
【請求項７】
前記計量棒が、約４５ｇ／ｃｍ幅〜約９００ｇ／ｃｍ幅の力を前記アプリケータに対して加える、請求項１に記載の装置。
【請求項８】
前記アプリケータが前記コンベヤーと前記アプリケータとの間に配置されたテープのロールの端面を被覆することが可能であるように、前記コンベヤーが前記アプリケータに対して位置決めされる、請求項１に記載の装置。
【請求項９】
前記アプリケータがローラーを備える、請求項１に記載の装置。
【請求項１０】
前記アプリケータがエンドレスベルトを備える、請求項１に記載の装置。
【請求項１１】
第２アプリケータと、前記第２アプリケータへの所定量の被覆組成物を計量するために前記第２アプリケータに対して位置決めされる第２計量棒と、をさらに備え、前記第２アプリケータは物品を前記コンベヤーから受け取るために位置決めされる、請求項１に記載の装置。
【請求項１２】
前記第１アプリケータがローラーを備える、請求項９に記載の装置。
【請求項１３】
前記第２アプリケータがローラーを備える、請求項１２に記載の装置。
【請求項１４】
前記第１アプリケータがエンドレスベルトを備える、請求項９に記載の装置。
【請求項１５】
前記第２アプリケータがエンドレスベルトを備える、請求項１４に記載の装置。
【請求項１６】
ａ）被覆組成物を前記第１アプリケータから物品の第１側面へ転送する工程と、
ｂ）被覆組成物を前記第２アプリケータから物品の前記第１側面の反対側の物品の第２側面へ転送する工程と、を実質的に同時に行うことが可能である、請求項９に記載の装置。
【請求項１７】
物品がテープのロールであり、
ａ）被覆組成物を前記第１アプリケータからテープのロールの第１端面へ転送する工程と、
ｂ）被覆組成物を前記第２アプリケータからテープのロールの前記第１端面の反対側のテープのロールの第２端面へ転送する工程と、を実質的に同時に行うことが可能である、請求項９に記載の装置。
【請求項１８】
前記第１アプリケータおよび前記第２アプリケータが、物品を前記第１アプリケータと前記第２アプリケータとの間に維持するために位置決めされる、請求項９に記載の装置。
【請求項１９】
物品に施された被覆組成物を凝固させる第２ステーションをさらに備える、請求項１に記載の装置。
【請求項２０】
前記コンベヤーが、被覆した物品を前記第２ステーションへ搬送することが可能である、請求項１９に記載の装置。
【請求項２１】
第１エンドレスベルトと第２エンドレスベルトとをさらに備え、前記第２コンベヤーが被覆した物品を前記第２ステーションへ搬送するために位置決めされる、請求項１９に記載の装置。
【請求項２２】
物品を前記コンベヤーから受け取るために位置決めされた第２アプリケータと、前記第２アプリケータへの所定量の被覆組成物を計量するために、前記第２アプリケータに対して位置決めされる第２計量棒と、をさらに備える、請求項１９に記載の装置。
【請求項２３】
前記第１アプリケータに対向して位置決めされた第２アプリケータと、前記第２アプリケータへの所定量の被覆組成物を計量するために、前記第２アプリケータに対して位置決めされる第２計量棒と、をさらに備える、請求項１９に記載の装置。
【請求項２４】
前記第１アプリケータがローラーを備え、前記第２アプリケータがローラーを備える、請求項２３に記載の装置。
【請求項２５】
前記第１アプリケータがエンドレスベルトを備える、請求項２３に記載の装置。
【請求項２６】
被覆した物品を前記第２ステーションへ搬送するために位置決めされた第２コンベヤーをさらに備える、請求項１９に記載の装置。
【請求項２７】
第１エンドレスベルトと第２エンドレスベルトとを備える第２コンベヤーをさらに備え、前記第２コンベヤーは被覆した物品を前記第２ステーションへ搬送するために位置決めされる、請求項１９に記載の装置。
【請求項２８】
前記第２コンベヤーが、被覆した物品を前記第１エンドレスベルトと前記第２エンドレスベルトとの間に搬送することが可能である、請求項２７に記載の装置。
【請求項２９】
前記第２ステーションが放射源を備える、請求項１９に記載の装置。
【請求項３０】
前記放射源が、紫外線放射と電子ビーム放射からなる群から選択される放射を生成することが可能である、請求項２９に記載の装置。
【請求項３１】
前記凝固が硬化を含む、請求項１９に記載の装置。
【請求項３２】
前記凝固が乾燥を含む、請求項１９に記載の装置。
【請求項３３】
アプリケータと、
物品を前記第１アプリケータへ搬送するコンベヤーと、
前記アプリケータへの所定量の被覆組成物を計量するために前記アプリケータに対して位置決めされた計量棒と、
を備える被覆装置を用いて物品を被覆する方法であって、
液体被覆組成物を前記アプリケータに塗布する工程と、
前記アプリケータからの前記被覆組成物を物品へ転送する工程と、を含む方法。
【請求項３４】
前記被覆組成物が少なくとも約１５ｃｐｓの粘度を有する、請求項３３に記載の方法。
【請求項３５】
前記被覆組成物が少なくとも約１９ｃｐｓの粘度を有する、請求項３３に記載の方法。
【請求項３６】
前記被覆した組成物を硬化する工程をさらに含む、請求項３３に記載の方法。
【請求項３７】
前記被覆した組成物を乾燥する工程をさらに含む、請求項３３に記載の方法。
【請求項３８】
物品がテープのロールであり、方法がテープのロールの端面を被覆するのに用いられる、請求項３３に記載の方法。
【請求項３９】
前記アプリケータに対して位置決めされる前記計量棒の端部が、少なくとも約３ｍｍの半径を有する、請求項３８に記載の方法。
【請求項４０】
前記アプリケータに対して位置決めされる前記計量棒の端部が、少なくとも約４ｍｍの半径を有する、請求項３８に記載の方法。
【請求項４１】
前記計量棒が、少なくとも約３５ｇ／ｃｍ幅の力を前記アプリケータに対して加える、請求項３８に記載の方法。
【請求項４２】
前記計量棒が、約４５ｇ／ｃｍ幅〜約９００ｇ／ｃｍ幅の力を前記アプリケータに対して加える、請求項３８に記載の方法。
【請求項４３】
前記アプリケータがコンベヤーとアプリケータとの間に配置されたテープのロールの端面を被覆することが可能であるように、前記コンベヤーが前記アプリケータに対して位置決めされる、請求項３８に記載の方法。
【請求項４４】
物品を受け取るために位置決めされた第２アプリケータと、前記第２アプリケータへの所定量の被覆組成物を計量するために前記第２アプリケータに対して位置決めされる第２計量棒と、をさらに備える、請求項３８に記載の方法。
【請求項４５】
前記第１アプリケータに対向して位置決めされた第２アプリケータと、前記第２アプリケータへの所定量の被覆組成物を計量するために前記第２アプリケータに対して位置決めされる第２計量棒と、をさらに備える、請求項３８に記載の方法。
【請求項４６】
前記アプリケータがローラーを備える、請求項３８に記載の方法。
【請求項４７】
前記アプリケータがエンドレスベルトを備える、請求項３８に記載の方法。
【請求項４８】
被覆組成物を物品の第１側面、および物品の前記第１側面の反対側の物品の第２側面へ実質的に同時に転送する工程をさらに含む、請求項３８に記載の方法。
【請求項４９】
前記物品がテープのロールを含み、被覆組成物を前記テープのロールの第１端面、および前記テープのロールの第２端面へ実質的に同時に転送する工程をさらに含む、請求項３８に記載の方法。
【国際調査報告】
2004525763.tif 000027
2004525763.tif 000028
2004525763.tif 000029